(57)【要約】【課題】  ゴキブリの脚の先端の保持力と、粘着力を弱めることにより、あらゆる種類のゴキブリの捕獲率を高めるゴキブリ捕獲器を提供する。【解決手段】  山形で一点の頂点を持つ構造の襞を容器壁面の全周囲に設け、襞上部に液体を貯める段を設けると共に、容器内底部の外周域に捕獲剤を中心域に誘引剤を収納する収納部を設けた内容器と、内容器を包み込む外容器とで構成されたゴキブリ捕獲器。【選択図】図１
2016086799.tif 000002
【特許請求の範囲】
【請求項１】
底部を有する頂部が開放した円筒形で、容器壁面が底面に対して直角、或いは、容器壁面が底面に対して５度まで上面に向かって開いた角度を持つ容器であり、容器壁面内部の一部に６０ｍｍ以上の高さ、或いは、容器底部から容器上面に至る襞加工を容器壁面の全周囲に設け、襞上部に液体を貯める段を襞加工に添って水平方向に溝を形成するように設けると共に、容器内底部の外周域に捕獲剤を中心域に誘引剤を収納する収納部を設けた内容器と、内容器を包み込む外容器とで構成されたことを特徴とするゴキブリ捕獲器。
【請求項２】
底部を有する頂部が開放した円筒形で、容器壁面が底面に対して直角、或いは、容器壁面が底面に対して５度まで上面に向かって開いた角度を持つ容器であり、容器壁面内部の底面から４０ｍｍ以上の高さを有する毛細管現象により油を移送可能な部位、或いは、細目内に油を貯留する部位と、容器壁面内部の油を移送可能な部位、或いは、細目内に油を貯留する部位の上部に油を貯める溝を設けると共に、容器内部に高さの違う収納部を備え、上部の収納部に誘引剤を、下部の収納部に捕獲剤として油を収納する収納部を設けたことを特徴とするゴキブリ捕獲器。
【請求項３】
上記捕獲剤は、ラーメンスープ・重曹・石鹸・合成洗剤・食用油を単体、又は、合成して液状で用いることを特徴とする請求項１〜請求項２に記載のゴキブリ捕獲器。
【請求項４】
上記誘引剤は、玉ねぎ・アニス・山椒・ユーカリ・バニラビーンズ・落花生を単体、又は、合成して液状で用いる、或いは、ペースト状にしたジャガイモに混ぜて用いることを特徴とする請求項１〜請求項２に記載のゴキブリ捕獲器。
【請求項５】
上記ゴキブリ捕獲器容器の頂部開放面に、頂部と底面に開口部を有する、上が広く、下が細くすぼまっていて、下部の細い部分が３０ｍｍ以上の穴になっている、漏斗状の誘導進入路を付随させることを特徴とする請求項１、請求項２のいずれか１つの容器に用いる漏斗状の誘導進入路を設けたゴキブリ捕獲器。
【発明の詳細な説明】
【技術分野】
【０００１】  本発明は、所要箇所に置くだけでゴキブリを捕獲するゴキブリ捕獲器に関するものである。
【背景技術】
【０００２】  特許文献１には、捕獲用空間Ｒを有する容器の壁部に、大型侵入口と小型侵入口とを設け、大型侵入口の上下方向の寸法を、チャバネゴキブリ、クロゴキブリ及びワモンゴキブリが侵入し易い範囲である２３ｍｍ以上４５ｍｍ以下に設定し、小型侵入口の上下方向の寸法を、上記３種類のゴキブリが侵入し易い範囲である８ｍｍ以上１７ｍｍ以下に設定したゴキブリ捕獲器が提案されている。この方法は、容器の内部空間がゴキブリ捕獲用空間Ｒ部に、誘引剤や粘着剤が塗布されたシートが貼り付けられていて、容器内に侵入したゴキブリが粘着剤に触れると、粘着剤がゴキブリに粘り着いてゴキブリを捕獲し、ゴキブリの種類や性別等によらず捕獲率を高めてゴキブリを効率良く駆除することを可能としているが、中が死骸で埋まることも珍しくなく、その上を他の個体が通過するということもよくあるので、こまめな交換が必要であり、あまり経済的ではない。【０００３】  特許文献２には、樹脂コーティング紙製又はプラスチック樹脂製袋本体の開口部に開閉チャックもしくはテープを設け、袋本体の中段部に、廃棄時に閉じる際の破裂防止用の空気抜き穴を開け、袋本体の内側に高分子潤滑剤を塗布し、使用時には、袋本体を開き、液状か固形のゴキブリ誘引剤を投入してゴキブリの活動経路に置き、誘引剤に引かれて中に入ったゴキブリは滑落して脱出不能にし、ゴキブリの捕獲量が適正量になったら、開口部のチャックもしくはテープを閉じ廃棄する、滑落式ゴキブリ取り器が提案されている。この方法は、誘引剤に誘導されて中に入ったゴキブリの脚の先端の保持力を、袋本体の内側に塗布された高分子潤滑剤により低下させることにより、袋本体の内壁面の移動を抑制し滑落させ、脱出不能にする優れた処理方法であるが、袋本体の内側に高分子潤滑剤を塗布する使用であるため、捕獲後のゴキブリが高分子潤滑剤に付着することや袋状の仕様であることで、ゴキブリを廃棄して再利用するには適さない。【０００４】  特許文献３には、流し台における生ゴミの収容籠の開口端に重ねる蓋体に複数の臭気口と、少なくとも一個のゴキブリの進入口を形成し、この進入口の下側に出口が小径の誘導管を垂設し、誘導管にはゴキブリの通過時に外方へ広がって出口が大径となるように、下端から上方に向かって多数の切り目線をいれ、一旦誘導管を通過したゴキブリは、外部に出られないようにし、また、ゴミの収容籠内に入れた網袋を、上記蓋体と同時に持ち上げることにより、ゴキブリを容易に捕獲し得るようにしている、ゴキブリ捕獲器が提案されている。この方法は、小魚やドジョウを捕らえる罠の竹筒（モジリ、モドラス、コロバシ、ウゲ）に見られる錐形の進入路を誘導管とした優れた処理方法であるが、ゴキブリは、著しく発達した長い触角を持っていて、警戒心が強く、周囲の状況を敏感に察知しようとするので、誘導管出口の拘束を弱くすれば、小型のゴキブリの脱出を許容し、誘導管出口の拘束を強くすれば、大型のゴキブリが捕獲できなくなり、あらゆる種類のゴキブリの捕獲率を高めるのは困難である。【０００５】
【特許文献１】  特開２００７−１５９５２１号公報
【特許文献２】  特開２００７−１３５５５０号公報
【特許文献３】  特開２００３−１４４０３０号公報
【発明の開示】
【発明が解決しようとする課題】
【０００６】  そこで本発明は、上記問題点に鑑みて発明されたもので、ゴキブリの脚の先端の保持力を弱めることにより、あらゆる種類のゴキブリの捕獲率を高めるゴキブリ捕獲器を提供することを課題とする。
【課題を解決するための手段】
【０００７】  本発明者らは、ゴキブリの活動観察により、ゴキブリがプラスチックやガラスの壁でもよじ登ることが可能であることを確認し、この作用はゴキブリの脚の先端の爪間盤と呼ばれる粘着力を持つ部位によるものであることを知り本発明を完成した。【０００８】  上記の課題を達成するため、請求項１に記載したゴキブリ捕獲器は、底部を有する頂部が開放した円筒形で、容器壁面が底面に対して直角、或いは、容器壁面が底面に対して５度まで上面に向かって開いた角度を持つ容器であり、容器壁面内部の一部に６０ｍｍ以上の高さ、或いは、容器底部から容器上面に至る襞加工を容器壁面の全周囲に設け、襞上部に液体を貯める段を襞加工に添って水平方向に溝を形成するように設けると共に、容器内底部の外周域に捕獲剤を中心域に誘引剤を収納する収納部を設けた内容器と、内容器を包み込む外容器とで構成されたことを特徴としている。【０００９】  この発明においては、襞加工を設けることにより、誘引剤に誘導されて中に入ったゴキブリの脚の先端の爪と襞加工部分との接触が部分接触となるため、接触面積の減少による保持力の低下をもたらし、容器壁面内部の移動を抑制し滑落させ、脱出不能にする。また、収納された捕獲剤により、ゴキブリの脚の先端の爪間盤と呼ばれる粘着力を持つ部位の粘着力を阻害するので、壁面を上ることも、平面の移動も困難にする。【００１０】  請求項２に記載したゴキブリ捕獲器は、底部を有する頂部が開放した円筒形で、容器壁面が底面に対して直角、或いは、容器壁面が底面に対して５度まで上面に向かって開いた角度を持つ容器であり、容器壁面内部の底面から４０ｍｍ以上の高さを有する毛細管現象により油を移送可能な部位、或いは、細目内に油を貯留する部位と、容器壁面内部の油を移送可能な部位、或いは、細目内に油を貯留する部位の上部に油を貯める溝を設けると共に、容器内部に高さの違う収納部を備え、上部の収納部に誘引剤を、下部の収納部に捕獲剤として油を収納する収納部を設けたことを特徴としている。【００１１】  この発明においては、請求項１に記載した容器壁面内部に襞加工を設けていない点が相違しているが、収納された捕獲剤の油により、ゴキブリの脚の先端の爪間盤と呼ばれる粘着力を持つ部位の粘着力を阻害するので、壁面を上ることも、平面の移動も困難にし脱出不能にできる。【００１２】  請求項３に記載したゴキブリ捕獲器は、捕獲剤に、ラーメンスープ・重曹・石鹸・合成洗剤・食用油を単体、又は、合成して液状で用いることを特徴としている。【００１３】  この発明においては、ラーメンスープ・重曹・石鹸・合成洗剤により、ゴキブリの脚の先端の爪間盤と呼ばれる粘着力を持つ部位のたんぱく質油を落としてしまう効果や、その部位のたんぱく質油を食用油により粘着力を阻害する効果を利用し脱出不能にすると共に、油とよく混ざる性質を利用し重曹・石鹸・合成洗剤・食用油を気門に流れ込ませ窒息させる。【００１４】  請求項４に記載したゴキブリ捕獲器は、誘引剤に、玉ねぎ・アニス・山椒・ユーカリ・バニラビーンズ・落花生を単体、又は、合成して液状で用いる、或いは、ペースト状にしたジャガイモに混ぜて用いることを特徴としている。【００１５】  この発明においては、玉ねぎ・アニス・山椒・ユーカリ・バニラビーンズ・落花生を単体、又は、合成して液状で用いることで速効的効果を発揮でき、ペースト状にしたジャガイモに混ぜて用いることで持続的効果を発揮させ、誘引物質として匂いで誘い込むことにより、捕獲率を向上させている。【００１６】  請求項５に記載したゴキブリ捕獲器は、ゴキブリ捕獲器容器の頂部開放面に、頂部と底面に開口部を有する、上が広く、下が細くすぼまっていて、下部の細い部分が３０ｍｍ以上の穴になっている、漏斗状の誘導進入路を付随させることを特徴としている。【００１７】  この発明においては、漏斗状の誘導進入路を付随させることにより、誘引剤から発する有効成分の過剰な放散を防ぎ、下部の細い穴の部分から集中的に有効成分を放出させ、ゴキブリを捕獲器容器の中央部に効果的に誘導し、捕獲率を向上させている。
【発明の効果】
【００１８】  以上説明したように請求項１の発明によれば、襞加工を設けた内容器と、襞加工の無い外容器とで構成したことにより、外容器を登ったゴキブリは、誘引剤に誘導され内容器に入る。しかし、襞加工を設けたことによるゴキブリの脚先端の爪の接触面積の減少と捕獲剤による爪間盤の粘着力を阻害する効果により、内容器に入ったゴキブリは、壁面を上ることも平面の移動も困難にできる。また、捕獲剤を貯める段を設けたことにより捕獲剤を持続させる効果も発揮できる。【００１９】  請求項２の発明によれば、上部の収納部に収納された誘引剤が効果的にゴキブリを誘引し、毛細管現象により油を移送可能な部位、或いは、細目内に油を貯留する部位の捕獲剤の油により、ゴキブリの脚の先端の爪間盤と呼ばれる粘着力を持つ部位の粘着力を阻害し脱出不能にできるため、請求項１の襞加工と外容器を省略することができる。【００２０】  請求項３の発明によれば、重曹・石鹸・合成洗剤により、粘着力を持つ部位のたんぱく質油を落とす効果や、ラーメンスープ・食用油により粘着力を阻害する効果と共に、これらを気門に流れ込ませ窒息させる効果を発揮できる。【００２１】  請求項４の発明によれば、玉ねぎ・アニス・山椒・ユーカリ・バニラビーンズ・落花生を単体、又は、合成して用いることで誘引物質として匂いで誘い込むことにより、捕獲率を向上させる効果を発揮できる。【００２２】  請求項５の発明によれば、漏斗状の誘導進入路を付随させることにより、有効成分の過剰な放散を防ぎ、下部の細い穴の部分から集中的に放出させ、ゴキブリを捕獲器容器の中央部に効果的に誘導し、捕獲率を向上させる効果を発揮できる。
【発明を実施するための最良の形態】
【００２３】  以下、本発明の実施形態を図１〜図４を参照して詳細に説明する。図１（Ａ）は本発明のゴキブリ捕獲器の上面図、図１（Ｂ）は図１（Ａ）のＸ−Ｘ’断面図、図１（Ｃ）は図１（Ｂ）のＹ−Ｙ’断面図、図１（Ｄ）は図１（Ｂ）の襞上部の液体を貯める部位の拡大図、図２（Ａ）は本発明の実施例２のゴキブリ捕獲器の上面図、図２（Ｂ）は図２（Ａ）のＸ−Ｘ’断面図、図２（Ｃ）は図２（Ｂ）のＹ−Ｙ’断面図、図２（Ｄ）は図２（Ｂ）の液体を貯める部位の拡大図、図３は漏斗状の誘導進入路の斜視図、図４は捕獲容器と漏斗状の誘導進入路を組み合わせた状態の断面図である。
【実験例１】
【００２４】  ゴキブリの活動観察により、ゴキブリがプラスチックやガラスの壁でもよじ登ることが可能であることを確認し、この作用はゴキブリの脚の先端の爪間盤と呼ばれる粘着力を持つ部位によるものであることを知った。
【００２５】  大型のゴキブリは、プラスチックやガラスの曲面壁においても、平面壁同様によじ登ることができ、２ｍｍの丸棒から２０ｍｍの丸棒でもよじ登ることができる。丸棒におけるゴキブリの脚の先端の爪は、丸棒を包み込む形で丸棒をよじ登り、２０ｍｍより径の大きい丸棒では、曲面壁同様に振る舞う。
【００２６】  小型のゴキブリは、プラスチックやガラスの曲面壁においても、平面壁同様によじ登ることができ、２ｍｍの丸棒から２０ｍｍの丸棒でもよじ登ることができる。丸棒におけるゴキブリの脚の先端の爪は、丸棒を包み込む形で丸棒をよじ登り、２０ｍｍより径の大きい丸棒では、曲面壁同様に振る舞う。しかし、３ｍｍから４ｍｍのプラスチック製丸棒では、よじ登る動作が多少困難であるように見受けられた。
【００２７】  上記小型のゴキブリの行動が、よじ登る行動を阻害する要因である可能性が考えられるので、２等辺３角形の２辺が３ｍｍと４ｍｍの３角片を平板に貼り付け、３角形が連続して結合したプラスチック製の壁を制作し、小型のゴキブリの行動を観察した。
【００２８】  上記の実験で、小型のゴキブリが３角形が連続して結合したプラスチック製の壁面を避け、裏側の平面壁をよじ登る行動が観察され、３角形が連続して結合したプラスチック製の壁面における、小型のゴキブリのよじ登る行動は大幅に阻害されることが判明した。
【００２９】  小型のゴキブリと同様の条件で、大型のゴキブリが３角形が連続して結合したプラスチック製の壁面をよじ登るか観察した結果、初期の行動では、４０％程度の阻害効果が確認されたが、最終的には、学習行動（詳細は不明）により１０％程度の阻害効果（９０％が脱出）にとどまった。
【００３０】  底部を有する頂部が開放した円筒形の容器壁面内部に３角片を貼り付け、３角形が連続して結合したプラスチック製の壁を制作し、大型のゴキブリが３角形が連続して結合したプラスチック製の壁面をよじ登るか観察した結果、ゴキブリがあらゆる角度、方向、場所をよじ登ろうとする行動を起こし、徐々によじ登りを開始し、時間は掛かるものの数十分後には全てのゴキブリが脱出（１００％が脱出）した。
【００３１】  上記の曲面壁の容器内面に３角片を貼り付けた壁では、容器内面の曲面壁に対し、３角片の接着面が平らであるため、接着面どうしにわずかな隙間を生じる部分が生まれ、この隙間にゴキブリの脚の先端の爪を添わせ、ゴキブリの脚の先端の爪間盤と呼ばれる粘着力を持つ部位の粘着力を使って落下するのを防ぎ、他の脚で次の行動を行い、徐々によじ登り行動を開始する。
【００３２】  接着による隙間の問題を解決するため、容器壁面内部の一部に６０ｍｍ以上の高さ、或いは、容器底部から容器上面に至る襞加工４を容器壁面の全周囲に設けた一体形成加工物とし、ゴキブリの脚の先端の爪と襞加工部分との接触を部分接触とすることにより、誘引剤に誘導されて中に入ったゴキブリの脚の先端の爪と襞加工４の加工面との接触面積を減らし、接触面積の減少による保持力の低下をもたらし、容器壁面内部の移動を抑制し滑落させ、脱出不能にする構造を採用した。
【００３３】  一体形成加工物である襞加工４の採用により、小型のチャバネゴキブリや中型のヤマトゴキブリには、ゴキブリ捕獲器として充分に機能するが、大型のクロゴキブリに対しては、ゴキブリ捕獲器としての機能に不足を感じる。
【００３４】  上記の機能不足を補うため、ラーメンスープ・ウスターソース・重曹・石鹸・合成洗剤・食用油などを液状で、襞加工４の表面に付着させて薄膜を形成する方法を用いた結果、油脂分を含まない薄膜でも、ゴキブリ捕獲器としての機能を満足できることが確認された。また、粘着力を阻害する膜として、食用油・合成洗剤・石鹸・ラーメンスープ・ウスターソース・重曹の順で効果を発揮することも確認され、捕獲剤として薄膜が機能不足を補うことが確認できた。
【実験例２】
【００３５】  襞加工４を設けない容器で、同じ容積と形状でゴキブリ捕獲器として充分に機能させるため、毛細管現象により油を移送し貯留する部位を設け、自動的に油の膜を形成し、ゴキブリの脚の先端の爪間盤と呼ばれる粘着力を持つ部位の粘着力を阻害し、容器内にゴキブリを閉じこめるゴキブリ捕獲器の油膜を形成する部材選択実験を行った。
【００３６】  選択素材として、スパンボンド製法と呼ばれる製法で製造された、通気性、毛羽立ちの少なさ、切断面のほつれにくさ等の特長に加え、ポリプロピレンの素材の特長を兼ね備えた不織布（商品名：エルタス）が、毛細管現象により液体を移送可能な部位として、自動的に油の膜を形成できるか実験を行った。
【００３７】  合成繊維であるポリプロピレン素材の不織布（商品名：エルタス）は、内部に繊維どうし、糸どうしのすき間がたくさんあり、この細かなすき間が細いガラス管と同じ働きをして、油を吸い上げ、数分で自動的に油の膜を形成する。
【００３８】  他の選択素材として、網戸用の３０メッシュ防虫網のポリプロピレン素材が、防虫網のメッシュ間を毛細管現象により液体を移送可能な部位として、自動的に油の膜を形成できるか実験を行った。
【００３９】  網戸用の３０メッシュ防虫網のポリプロピレン素材では、自動的に油の膜を形成するのは困難であるが、防虫網の細目内に油を貯留することは可能であり、３０メッシュ防虫網を二重に重ね細目内に油を貯留する方法に変更した。
【００４０】  底部を有する頂部が開放した円筒形の容器壁面内部の底面から４０ｍｍ以上の高さを有する毛細管現象により液体を移送可能な部位１１に、ポリプロピレン素材の不織布（商品名：エルタス）の上面部と中間部と底面部と容器内壁面とを点状に溶着し、食用油を補獲剤として用いると、小型のゴキブリは、ポリプロピレン素材の不織布（商品名：エルタス）に到着後まもなく、ゴキブリの脚の先端の爪が不織布の細かなすき間に入り込み、動きが抑制されその場で静止し、その後、食用油を気門に取り込み窒息した。
【００４１】  大型のゴキブリでは、ポリプロピレン素材の不織布（商品名：エルタス）に到着後、横方向に移動する固体や、底部の食用油に落下する固体や、底部の食用油を触角で検知し反転して油の膜より上部に移動する固体など、色々の挙動を見せる。横方向に移動した固体は、足を取られ徐々に体力を消耗し、食用油を気門に取り込みポリプロピレン素材の不織布（商品名：エルタス）上で窒息し、底部の食用油に落下した固体は食用油の中で窒息し、底部の食用油を触角で検知し反転して油の膜より上部に移動を試みた固体は、ゴキブリの脚の先端の爪間盤と呼ばれる粘着力を持つ部位の粘着力を阻害されているため、壁を上れず底部の食用油に落下し食用油の中で窒息する。
【００４２】  底部を有する頂部が開放した円筒形の容器壁面内部の底面から４０ｍｍ以上の高さを有する、細目内に油を貯留する部位１１に、網戸用の３０メッシュ防虫網のポリプロピレン素材の上面部と中間部と底面部と容器内壁面とを点状に溶着し、食用油を補獲剤として用いると、小型のゴキブリも大型のゴキブリも、ゴキブリの脚の先端の爪間盤と呼ばれる粘着力を持つ部位の粘着力を阻害されるため、壁を上れず底部の食用油に落下し食用油の中で窒息する。
【実験例３】
【００４３】  ゴキブリは記憶力が非常に優れ、夜行性で、初期行動として嗅覚を利用して餌場をさがし、好物の餌場を覚え餌を食べに来る傾向を示し、好物の餌で腹を満たし、同じ餌を繰り返し食べる。この行動を本発明のゴキブリ捕獲器に応用すると、目で食べ物を追う行動よりも、嗅覚を利用して餌に誘う行動を利用した方が効果的であり、誘引剤として何が有効で、何が逆効果（忌避効果）を示すのか実験を行った。
【００４４】  セリ科の植物を用いて、誘引効果と忌避効果を調べると、数分で効果を確認できる物に、アニス、キャラウェイ、クミン、セロリがあり、数時間経っても特別な効果が確認されない物に、人参、パセリ、三つ葉などがあった。誘引効果ではアニス、忌避効果が高い順にキャラウェイ、クミン、セロリとなった。実験は精度が高い実験とは言えないが、数分で誘引効果が確認されたアニスに注目した。
【００４５】  アニスに似た甘い匂いを放出する野菜や香辛料に、フトモモ科のユーカリやラン科のバニラやミカン科の山椒があり、熱を加えることにより玉葱や落花生も甘い匂いを放出し、落花生（加熱）、ユーカリ、玉葱（加熱）、アニス、バニラ、山椒の順で誘引効果が確認された。
【００４６】  他の食材においては、砂糖、蜂蜜、米ぬか、バナナ、蒸かしたサツマイモやジャガイモで誘引効果が確認され、甘い匂い（香り）や甘い成分（糖分）が誘引効果に関与しているものと思われる。
【００４７】  誘引効果と好物の餌との関係では、アニス、ユーカリ、バニラ、山椒が嗅覚を利用して餌に誘う誘引効果を示す誘引剤であり、餌としては成立しない。しかし、砂糖、蜂蜜、米ぬか、バナナとうの他の食材、そして、熱を加えることにより玉葱、落花生、サツマイモ、ジャガイモが、甘い匂いを放出するため誘引効果を示す誘引剤となるが、後者は餌としても成立する。
【００４８】  誘引効果が高く、餌としても成立する最高の組み合わせ食材は、ローストした落花生に蜂蜜を塗して固めた物、熱を加えた玉葱に砂糖、蜂蜜、澱粉、ケルセチンを混ぜ乾燥させた物、アニスとじゃがいもの組み合わせ、玉葱とじゃがいもの組み合わせの順となった。
【実験例４】
【００４９】  ゴキブリ捕獲器として、頂部が開放した円筒形容器の状態で使用することは可能であるが、捕獲率の向上と誘引剤から発する有効成分の過剰な放散を防ぐ目的で、キブリ捕獲器容器の頂部開放面に、頂部と底面に開口部を有する、上が広く、下が細くすぼまっていて、下部の細い部分が３０ｍｍ以上の穴になっている、漏斗状のプラスチック製の誘導進入路を付随させることによる変化を調査した。
【００５０】  頂部が開放した円筒形容器の状態での１日の捕獲量の平均は、チャバネゴキブリ２．５匹、クロゴキブリ１匹であるのに対し、漏斗状のプラスチック製の誘導進入路を付随させた場合の１日の捕獲量の平均は、チャバネゴキブリ３匹、クロゴキブリ１匹であり、わずかに漏斗状のプラスチック製の誘導進入路を付随させた場合の方が捕獲率を向上させる効果を確認できた。しかし、この効果は、誘導進入路による効果か、有効成分を下部の細い穴の部分から集中的に放出させた効果かは判断できない。
【００５１】  頂部が開放した円筒形容器の状態での誘引剤から発する有効成分の臭いは、容器内に残らないのに対し、漏斗状のプラスチック製の誘導進入路を付随させた場合、ユーカリが最長で５日、アニスとバニラが約３日、山椒が約２日、熱を加えた玉葱と落花生が約１日とそれぞれ容器内に残留する。この残留効果は、人間の鼻での評価であり、ゴキブリが人間の鼻で感じられない厨房の臭気を屋外で感じ取り、外にいるゴキブリも引き寄せてしまうと言われているので、ゴキブリの嗅覚器官の特性を考慮すると、残留効果は、倍程度に延長されると推測される。
【実施例１】
【００５２】  図１に示すゴキブリ捕獲器１は、プラスチック製、又は、金属製の内容器２とプラスチック製、又は、紙製の外容器３で構成されていて、内容器２の容器壁面内部の一部、或いは、容器底部から容器上面に至る襞加工４を容器壁面の全周囲に設け、襞加工４上部の液体を貯める部位５に段６を襞加工４に添って水平方向に溝を形成するように設け、容器内底部の外周域に捕獲剤収納部７を中心域に誘引剤収納部８を設けている。【００５３】  図１における襞加工４の形状は、３角型を連結した形であるが、半円形を連結した形や４角型を連結した形でもよい。また、内容器２を包み込む外容器３の形状をゴキブリが登り易い底部に広がった形状としたり、外容器３の部材を発泡スチレン樹脂としたり、外壁面に滑り止めを施してもよい。【００５４】  本実施例１のゴキブリ捕獲器１を使用して、チャバネゴキブリを捕獲する場合、容器内底部の捕獲剤収納部７に、ユーカリ、アニス、バニラなどを単体、又は、合成して液状（オイル状）で注ぎ、容器内底部の誘引剤収納部８に、ローストした落花生に蜂蜜を塗して固めた物、熱を加えた玉葱に砂糖、蜂蜜、澱粉、ケルセチンを混ぜ乾燥させた物、アニスとじゃがいもの組み合わせ、玉葱とじゃがいもの組み合わせの、いずれか１つを固形の状態で挿入し、チャバネゴキブリを捕獲する。【００５５】  襞加工４を設けた内容器２と、襞加工の無い外容器３とで構成したことにより、外容器３を登ったチャバネゴキブリは、誘引剤に誘導され内容器２に入る。しかし、襞加工４を設けたことによるチャバネゴキブリの脚先端の爪の接触面積の減少と捕獲剤による爪間盤の粘着力を阻害する効果により、内容器２に入ったチャバネゴキブリは、壁面を上ることも平面の移動も困難になり、内容器２の底部に集まる。【００５６】  上記の方法は、捕獲剤収納部７に液状の誘引剤を入れて捕獲剤として利用しているので、液状と固形の２つの状態の誘引剤により、誘引効果の高い捕獲器となる。また、捕獲したチャバネゴキブリを廃棄して、捕獲剤と誘引剤の量を再設定すれば、捕獲器として再利用が可能である。【００５７】  ゴキブリ捕獲器１を使用して、クロゴキブリを捕獲する場合、容器内底部の捕獲剤収納部７に、ラーメンスープ・ウスターソース・重曹・石鹸・合成洗剤・食用油などを液状で３ｍｍ程注ぎ、ゴキブリ捕獲器１を斜めに傾けて、襞加工４上部の液体を貯める部位５の段６に注入するようにゴキブリ捕獲器１を回転させ、襞加工４の表面に薄膜を形成させた後、容器内底部の誘引剤収納部８に、ローストした落花生に蜂蜜を塗して固めた物、熱を加えた玉葱に砂糖、蜂蜜、澱粉、ケルセチンを混ぜ乾燥させた物、アニスとじゃがいもの組み合わせ、玉葱とじゃがいもの組み合わせの、いずれか１つを固形の状態で挿入し、クロゴキブリを捕獲する。【００５８】  襞加工４を設けた内容器２と、襞加工の無い外容器３とで構成したことにより、外容器３を登ったクロゴキブリは、誘引剤に誘導され内容器２に入る。しかし、襞加工４を設けたことによるクロゴキブリの脚先端の爪の接触面積の減少と襞加工４の表面に付着させた薄膜とにより、内容器２に入ったクロゴキブリは、壁面を上ることも平面の移動も困難になり、内容器２の底部に集めら���、捕獲剤の中で窒息させる。また、襞加工４上部の液体を貯める部位５の段６には、捕獲剤が貯められているため、クロゴキブリの脚部の移動により捕獲剤が襞加工４の表面に付着するため、捕獲数が増加しても薄膜の状態を維持する役目を果たす。【００５９】  ラーメンスープとウスターソースを捕獲剤として用いた場合、クロゴキブリの即死は望めないので、生きた状態での捕獲を望まない場合は、合成洗剤としての界面活性剤濃度が０．０１％以上になるようにラーメンスープ、又は、ウスターソースと合成すれば、ゴキブリを死んだ状態で捕獲できる。また、捕獲したゴキブリを廃棄して、捕獲剤と誘引剤を再設定すれば、捕獲器として再利用が可能である。【００６０】  クロゴキブリの捕獲では、襞加工４の一体形成加工物を採用しても、壁面をよじ登る固体が存在（チャバネゴキブリには有効）するので、捕獲効果を向上させるために、捕獲剤として、ラーメンスープ・ウスターソース・重曹・石鹸・合成洗剤・食用油などの薄膜を併用するが、この薄膜に使用する成分を、ラーメンスープ、又は、ウスターソースとして薄膜を形成後、容器内底部の捕獲剤収納部７に残らないように、内容器２の外に排出すれば、生きたままのゴキブリの捕獲が可能となり、実験や観察用の大型のゴキブリや小型のゴキブリの捕獲に使える。
【実施例２】
【００６１】  図２に示すゴキブリ捕獲器９は、容器１０の壁面内部の底面から延びた、毛細管現象により油を移送可能な部位１１、或いは、細目内に油を貯留する部位１１と、液体を貯める部位１２の内壁面に溝１３を設けた容器１０と、誘引剤を収納する取り外し可能な誘引剤収納部１４との２つの部品で構成されていて、容器１０の底面を捕獲剤としての油収納部１５としている。【００６２】  本実施例２のゴキブリ捕獲器９を使用して、毛細管現象により油を移送可能な部位１１として用い、各種ゴキブリを捕獲する場合、容器１０内底部の捕獲剤としての油収納部１５に食用油を３ｍｍ程注ぎ、誘引剤を収納する取り外し可能な誘引剤収納部１４に、ローストした落花生に蜂蜜を塗して固めた物、熱を加えた玉葱に砂糖、蜂蜜、澱粉、ケルセチンを混ぜ乾燥させた物、アニスとじゃがいもの組み合わせ、玉葱とじゃがいもの組み合わせの、いずれか１つを固形の状態で挿入し、各種ゴキブリを捕獲する。【００６３】  符号１１の部位の素材として、合成繊維であるポリプロピレン素材の不織布（商品名：エルタス）、又は、コットンリンター原料の長繊維不織布（商品名：ベンリーゼ）を用いることで、内部の繊維どうし、糸どうしの細かなすき間が、細いガラス管と同じ働きをして、油を吸い上げ、数分で符号１１の部位に自動的に油の膜を形成する。実施例として２つの素材を用いたが、上記の素材以外の、麻、絹などの素材も用いることができる。【００６４】  容器１０の外壁面を登ったゴキブリは、誘引剤に誘導され内壁面を下る。小型のゴキブリは、ポリプロピレン素材の不織布（商品名：エルタス）、又は、コットンリンター原料の長繊維不織布（商品名：ベンリーゼ）に到着後まもなく、ゴキブリの脚の先端の爪が不織布の細かなすき間に入り込み、動きが抑制されその場で静止し、その後、食用油を気門に取り込み窒息する。【００６５】  大型のゴキブリでは、ポリプロピレン素材の不織布（商品名：エルタス）、又は、コットンリンター原料の長繊維不織布（商品名：ベンリーゼ）に到着後、横方向に移動する固体や、底部の食用油に落下する固体や、底部の食用油を触角で検知し反転して油の膜より上部に移動する固体など、色々の挙動を見せる。横方向に移動した固体は、足を取られ徐々に体力を消耗し、食用油を気門に取り込みポリプロピレン素材の不織布（商品名：エルタス）、又は、コットンリンター原料の長繊維不織布（商品名：ベンリーゼ）上で窒息し、底部の食用油に落下した固体は食用油の中で窒息し、底部の食用油を触角で検知し反転して油の膜より上部に移動を試みた固体は、ゴキブリの脚の先端の爪間盤と呼ばれる粘着力を持つ部位の粘着力を阻害されているため、壁を上れず底部の食用油に落下し食用油の中で窒息する。【００６６】  上記の方法では、液体を貯める部位１２を使用しないので、内壁面に設けた溝１３に食用油を貯めずに使用する。また、捕獲したゴキブリを廃棄して、捕獲剤と誘引剤を再設定すれば、捕獲器として再利用が可能である。【００６７】  本実施例２のゴキブリ捕獲器９を使用して、細目内に油を貯留する部位１１として用い、各種ゴキブリを捕獲する場合、容器１０内底部の捕獲剤としての油収納部１５に食用油を３ｍｍ程注ぎ、ゴキ���リ捕獲器９を斜めに傾けて、細目内に油を貯留する部位１１に注入するようにゴキブリ捕獲器９を回転させ、細目内に油を供給した後、容器１０内底部の誘引剤収納部１４に、ローストした落花生に蜂蜜を塗して固めた物、熱を加えた玉葱に砂糖、蜂蜜、澱粉、ケルセチンを混ぜ乾燥させた物、アニスとじゃがいもの組み合わせ、玉葱とじゃがいもの組み合わせの、いずれか１つを固形の状態で挿入し、各種ゴキブリを捕獲する。【００６８】  符号１１の部位の素材として、網戸用の３０メッシュ防虫網のポリプロピレン素材を用いることで、防虫網の細目内に手動で油を貯留することができる。【００６９】  容器１０の外壁面を登ったゴキブリは、誘引剤に誘導され内壁面を下る。ゴキブリが網戸用の３０メッシュ防虫網のポリプロピレン素材に到着し、防虫網の細目内に貯留した油に触れるため、小型のゴキブリも大型のゴキブリも、ゴキブリの脚の先端の爪間盤と呼ばれる粘着力を持つ部位の粘着力を阻害され、内壁面を上れず底部の食用油に落下し食用油の中で窒息する。【００７０】  上記の方法では、液体を貯める部位１２を使用しないので、内壁面に設けた溝１３に食用油を貯めずに使用する。また、捕獲したゴキブリを廃棄して、捕獲剤と誘引剤を再設定すれば、捕獲器として再利用が可能である。
【実施例３】
【００７１】  図３に示す漏斗状のプラスチック製、又は、金属製、又は、紙製の誘導進入路１６は、上面の広い開口部１７と、底面の細い開口部１８と、平面の縁１９を設けている。【００７２】  図４に示す断面図２０は、漏斗状の誘導進入路１６と内容器２と外容器３を組み合わせた状態の断面図であり、断面図２１は、漏斗状の誘導進入路１６と容器１０を組み合わせた状態の断面図である。【００７３】  チャバネゴキブリは、羽が退化していて飛べないが、クロゴキブリは、ムササビのように高いところから低いところへ滑降するので、漏斗状のプラスチック製の誘導進入路１６を付随させると、ゴキブリ捕獲器１とゴキブリ捕獲器９の仕様も、その行動を配慮に入れる必要が生じる。【００７４】  ゴキブリ捕獲器１に漏斗状の誘導進入路１６を付随させて、クロゴキブリを捕獲する場合、容器内底部の捕獲剤収納部７に、ラーメンスープ・ウスターソース・重曹・石鹸・合成洗剤・食用油などを液状で３ｍｍ程注ぎ、ゴキブリ捕獲器１を斜めに傾けて、襞加工４上部の液体を貯める部位５の段６に注入するようにゴキブリ捕獲器１を回転させ、襞加工４の表面に薄膜を形成させた後、容器内底部の誘引剤収納部８に、ローストした落花生に蜂蜜を塗して固めた物、熱を加えた玉葱に砂糖、蜂蜜、澱粉、ケルセチンを混ぜ乾燥させた物、アニスとじゃがいもの組み合わせ、玉葱とじゃがいもの組み合わせの、いずれか１つを固形の状態で挿入し、誘導進入路１６を付随させて使用する。【００７５】  襞加工４を設けた内容器２と、襞加工の無い外容器３とで構成したことにより、外容器３を登ったクロゴキブリは、誘引剤に誘導され、プラスチック製の誘導進入路１６を経由して、内容器２の襞加工４上部の液体を貯める部位５に滑降するので、捕獲剤が貯められた段６上の何れかの段に貯まった捕獲剤を、クロゴキブリの脚の先端の爪間盤と呼ばれる粘着力を持つ部位に液体の状態で付着させる役目を果たす。【００７６】  ゴキブリ捕獲器９に漏斗状の誘導進入路１６を付随させて、クロゴキブリを捕獲する場合、容器１０内底部の捕獲剤としての油収納部１５に食用油を３ｍｍ程注ぎ、ゴキブリ捕獲器９を斜めに傾けて、液体を貯める部位１２の内壁面に設けた溝１３に食用油を注入するようにゴキブリ捕獲器９を回転させた後、誘引剤を収納する取り外し可能な誘引剤収納部１４に、ローストした落花生に蜂蜜を塗して固めた物、熱を加えた玉葱に砂糖、蜂蜜、澱粉、ケルセチンを混ぜ乾燥させた物、アニスとじゃがいもの組み合わせ、玉葱とじゃがいもの組み合わせの、いずれか１つを固形の状態で挿入し、誘導進入路１６を付随させて使用する。【００７７】  容器１０の外壁面を登ったクロゴキブリは、誘引剤に誘導され、プラスチック製の誘導進入路１６を経由して、容器１０の内壁面上部の液体を貯める部位１２に滑降するので、捕獲剤が貯められた溝１３の何れかの溝に貯まった捕獲剤を、クロゴキブリの脚の先端の爪間盤と呼ばれる粘着力を持つ部位に液体の状態で付着させる役目を果たす。【００７８】  また、誘引剤から発する有効成分の過剰な放散を防ぐ目的で、漏斗状の誘導進入路１６を付随させると、１日の捕獲量の平均値で、チャバネゴキブリ０．５匹の捕獲率を向上させる効果を確��できた。しかし、この効果は、誘導進入路による効果か、有効成分を下部の細い穴の部分から集中的に放出させた効果かは判断できない。【００７９】  漏斗状の誘導進入路１６を付随させた場合、ユーカリが最長で５日、アニスとバニラが約３日、山椒が約２日、熱を加えた玉葱と落花生が約１日とそれぞれ容器内に残留する。この残留効果は、人間の鼻での評価であり、ゴキブリが人間の鼻で感じられない厨房の臭気を屋外で感じ取り、外にいるゴキブリも引き寄せてしまうと言われているので、ゴキブリの嗅覚器官の特性を考慮すると、残留効果は、倍程度に延長されると推測される。
【図面の簡単な説明】
【００８０】
【図１（Ａ）】本発明のゴキブリ捕獲器の上面図。
【図１（Ｂ）】図１のＸ−Ｘ’断面図。
【図１（Ｃ）】図１のＹ−Ｙ’断面図。
【図１（Ｄ）】図１の襞上部の液体を貯める部位の拡大図。
【図２（Ａ）】本発明の実施例２のゴキブリ捕獲器の上面図。
【図２（Ｂ）】図２のＸ−Ｘ’断面図。
【図２（Ｃ）】図２のＹ−Ｙ’断面図。
【図２（Ｄ）】図２の液体を貯める部位の拡大図。
【図３】漏斗状の誘導進入路の斜視図。
【図４】捕獲容器と漏斗状の誘導進入路を組み合わせた状態の断面図。
【符号の説明】
【００８１】  １    ゴキブリ捕獲器
２    内容器
３    外容器
４    襞加工
５    液体を貯める部位
６    段
７    捕獲剤収納部
８    誘引剤収納部
９    ゴキブリ捕獲器
１０    容器
１１    毛細管現象により油を移送可能な部位、或いは、細目内に油を貯留する部位
１２    液体を貯める部位
１３    溝
１４    誘引剤収納部
１５    捕獲剤としての油収納部
１６    漏斗状の誘導進入路
１７    広い開口部
１８    細い開口部
１９    平面の縁
２０    断面図
２１    断面図
【図１】
2016086799.tif 000003
【図２】
2016086799.tif 000004
【図３】
2016086799.tif 000005
【図４】
2016086799.tif 000006
【手続補正書】
【提出日】平成27年12月24日(2015.12.24)
【手続補正１】
【補正対象書類名】特許請求の範囲
【補正対象項目名】請求項１
【補正方法】変更
【補正の内容】
【請求項１】
底部を有する頂部が開放した円筒形で、容器壁面が底面に対して直角、或いは、容器壁面が底面に対して５度まで上面に向かって開いた角度を持つ容器であり、容器壁面内部に６０ｍｍ以上の高さの襞加工を容器底部から容器上面、或いは、容器底部から５ｍｍ〜２０ｍｍの高さから容器上面に対して容器壁面の全周囲に設け、襞上部に液体を貯める段を襞加工に添って水平方向に溝を形成するように設けると共に、容器内底部の外周域に捕獲剤を中心域に誘引剤を収納する収納部を設けた内容器と、内容器を包み込む外容器とで構成されたことを特徴とするゴキブリ捕獲器。
【手続補正２】
【補正対象書類名】特許請求の範囲
【補正対象項目名】請求項３
【補正方法】変更
【補正の内容】
【請求項３】
上記捕獲剤は、鶏ガラ、豚骨、牛骨をじっくりと煮込んだスープと魚介系、野菜系のスープを含むラーメンスープ・ウスターソース・重曹・石鹸・合成洗剤・食用油を単体、又は、合成して液状で用いることを特徴とする請求項１、請求項２のうちいずれか１つのゴキブリ捕獲器に用いる捕獲剤。
【手続補正３】
【補正対象書類名】特許請求の範囲
【補正対象項目名】請求項４
【補正方法】変更
【補正の内容】
【請求項４】
上記誘引剤は、玉ねぎ・アニス・山椒・ユーカリ・バニラビーンズ・落花生を単体、又は、合成して液状で用いる、或いは、ペースト状にしたジャガイモに混ぜて用いることを特徴とする請求項１、請求項２のうちいずれか１つのゴキブリ捕獲器に用いる誘引剤。
【手続補正５】
【補正対象書類名】明細書
【補正対象項目名】０００８
【補正方法】変更
【補正の内容】
【０００８】  上記の課題を達成するため、請求項１に記載したゴキブリ捕獲器は、底部を有する頂部が開放した円筒形で、容器壁面が底面に対して直角、或いは、容器壁面が底面に対して５度まで上面に向かって開いた角度を持つ容器であり、容器壁面内部に６０ｍｍ以上の高さの襞加工を容器底部から容器上面、或いは、容器底部から５ｍｍ〜２０ｍｍの高さから容器上面に対して容器壁面の全周囲に設け、襞上部に液体を貯める段を襞加工に添って水平方向に溝を形成するように設けると共に、容器内底部の外周域に捕獲剤を中心域に誘引剤を収納する収納部を設けた内容器と、内容器を包み込む外容器とで構成されたことを特徴としている。
【手続補正６】
【補正対象書類名】明細書
【補正対象項目名】００１２
【補正方法】変更
【補正の内容】
【００１２】  請求項３に記載した捕獲剤は、鶏ガラ、豚骨、牛骨をじっくりと煮込んだスープと魚介系、野菜系のスープを含むラーメンスープ・ウスターソース・重曹・石鹸・合成洗剤・食用油を単体、又は、合成して液状で用いることを特徴としている。
【手続補正７】
【補正対象書類名】明細書
【補正対象項目名】００１４
【補正方法】変更
【補正の内容】
【００１４】  請求項４に記載した誘引剤は、玉ねぎ・アニス・山椒・ユーカリ・バニラビーンズ・落花生を単体、又は、合成して液状で用いる、或いは、ペースト状にしたジャガイモに混ぜて用いることを特徴としている。